(57)【要約】【課題】  ボルト、ナット組立体の防食を確実に行うことができるだけでなく、締付ナットからのボルトネジ軸の突出長さの大小に対応でき、再使用も可能な防錆キャップを提供する。【解決手段】  本発明は、締付ナット及びそこから突出するボルトネジ軸の部分からなるボルト、ナット組立体を収容する防錆キャップであって、前記ボルト、ナット組立体の挿入口を有するナット収容部と、その内周面の少なくとも一部に刻設された前記ボルトネジ軸と螺合可能なネジ部が刻設されたボルト収容部と、これらを連結する伸縮連結部とを備えており、前記ボルト収容部は、前記挿入口より進入された前記組立体におけるボルトネジ軸の先端部分を包み込むとともに、当該先端部分と前記ネジ部が螺着し、前記伸縮連結部をその伸縮方向および／またはねじれ方向に適宜変形することにより前記締付ナットを前記ナット収容部に収容するように構成された防錆キャップに関する。【選択図】  図１
2012154377.tif 000002
【特許請求の範囲】
【請求項１】
締付ナット及びそこから突出するボルトネジ軸の部分からなるボルト、ナット組立体を収容する防錆キャップであって、前記ボルト、ナット組立体の挿入口を有するナット収容部と、その内周面の少なくとも一部に刻設された前記ボルトネジ軸と螺合可能なネジ部が刻設されたボルト収容部と、これらを連結する伸縮連結部とを備えており、前記ボルト収容部は、前記挿入口より進入された前記組立体におけるボルトネジ軸の先端部分を包み込むとともに、当該先端部分と前記ネジ部が螺着し、前記伸縮連結部をその伸縮方向および／またはねじれ方向に適宜変形することにより前記締付ナットを前記ナット収容部に収容するように構成されたことを特徴とする防錆キャップ。
【請求項２】
前記ナット収容部における空間は、その開口方向に直交する方向の断面がここに収容される締付ナットの当該方向における断面形状と略同形で、僅かに小さいサイズである請求項１に記載の防錆キャップ。
【請求項３】
前記ナット収容部は、その挿入口寄りの内周面に内側に向けて円周方向に突条が設けられてなる請求項１または２に記載の防錆キャップ。
【請求項４】
前記ナット収容部における空間は、その開口方向に直交する方向の断面がここに収容される締付ナットの横断面の外接円よりも僅かに大きい直径の円柱状をなし、その内周面には円周方向に環状締め具が嵌り込む溝が設けられてなる請求項１に記載の防錆キャップ。
【請求項５】
前記ナット収容部の基端部外周縁には、外方に向けて放射状に鍔が設けられてなる請求項１〜４のいずれか１項に記載の防錆キャップ。
【発明の詳細な説明】
【技術分野】
【０００１】
本発明は、特に屋外や高湿条件下に設置された機器の外部に露出する締付ナットおよびそこから突出するボルトネジ軸の部分からなるボルト、ナット組立体を収容する防錆キャップに関する。
【背景技術】
【０００２】
通常、各種の機械器具において、これを構成する部材同士を連結固定するのに、対面するフランジなどの対応する位置にそれぞれ設けられた貫通孔にそれぞれボルトを通し、反対側から突出するボルトネジ軸に締付ナットを螺合して締め付けることが行われる。この締付ナットとそこから突出するボルトネジ軸の部分（以下、締付ナットとボルトとの組み合わせを「ボルト、ナット組立体」ということとする。）は、屋外に設置された機器器具では、特に腐食が進行しやすいことはよく知られている。例えば、送電線に設置されたクランプなどの架線金具のボルト、ナット組立体の場合、当該組立体が上向きに取付られ、風雨などに晒されるためにメッキの肉厚が薄くなるほか、機器新設の際にボルトの締め付けやトルクレンチなどの工具を用いた締付確認、さらには設備点検時におけるボルトの増し締めなどにより、ボルト若しくは締付ナット、又はこれら双方のメッキがそれぞれ傷つくことが大きな要因となっている。また、高い位置のボルト、ナット組立体が発錆してくると、その下方に配置される他の架線金具、碍子、鉄塔などに錆が飛散拡大し、発錆の度合いに応じて架線金具の取替工事が必要になることがあるという問題がある。
【０００３】
このようなボルト、ナット組立体の防食ために、従来から防錆キャップに関する提案が多くなされている。例えば、特許文献１の防錆キャップは、内部にボルトネジ軸と螺合可能なネジ溝孔が設けられた空所を有する本体と、当該空所内に挿入される防錆材願新部材と、シール用パッキンとを備えたものであり、防食の点では優れるが、締付ナットから突出するボルトネジ軸が長くなった場合には、ボルト、ネジ組立体を完全に覆うことができないという問題がある。また、すでに防錆キャップとしてＴＳキャップ（商品名、株式会社ツルガ製）が市販されているが、ボルト、ナット組立体から取り外したら再使用できないという問題がある。
【先行技術文献】
【特許文献】
【０００４】
【特許文献１】実開平４−４４５１３号公報
【発明の概要】
【発明が解決しようとする課題】
【０００５】
本発明は、前記事情に鑑みなされたものであり、ボルト、ナット組立体の防食を確実に行うことができるだけでなく、締付ナットからのボルトネジ軸の突出長さの大小に対応でき、再使用も可能な防錆キャップを提供することを目的とする。
【課題を解決するための手段】
【０００６】
前記目的は、本発明によれば、締付ナット及びそこから突出するボルトネジ軸の部分からなるボルト、ナット組立体を収容する防錆キャップであって、前記ボルト、ナット組立体の挿入口を有するナット収容部と、その内周面の少なくとも一部に刻設された前記ボルトネジ軸と螺合可能なネジ部が刻設されたボルト収容部と、これらを連結する伸縮連結部とを備えており、前記ボルト収容部は、前記挿入口より進入された前記組立体におけるボルトネジ軸の先端部分を包み込むとともに、当該先端部分と前記ネジ部が螺着し、前記伸縮連結部をその伸縮方向および／またはねじれ方向に適宜変形することにより前記締付ナットを前記ナット収容部に収容するように構成されたことを特徴とする防錆キャップによって達成される。
【０００７】
前記ナット収容部における空間は、その開口方向に直交する方向の断面がここに収容される締付ナットの当該方向における外形形状と略同形で、僅かに小さいサイズに設定できる。前記ナット収容部は、その挿入口寄りの内周面に内側に向けて円周方向に突条が設けられていてもよい。また、前記ナット収容部における空間は、その開口方向に直交する方向の断面がここに収容される締付ナットの横断面の外接円よりも僅かに大きい直径の円柱状をなし、その内周面には円周方向に環状締め具が嵌り込む溝を設けることができる。前記ナット収容部の基端部外周縁には、外方に向けて放射状に鍔を設けることができる。
【発明の効果】
【０００８】
本発明の防錆キャップは、締付ナットから突出するボルトネジ軸に螺合させて、ボルト、ナット組立体を被うのにボルト収容部、ナット収容部および伸縮連結部の３つの部分からなる簡単な構造であり、当該組立体から容易に離脱することなく、確実に発錆や進行を防止でき、その結果、著しい発錆による機器の取替などが不要になるとともに、低い位置の他の機器に錆の飛散拡大が抑制できる。また、本発明の防錆キャップは、伸縮連結部を備えることから、締付ナットからのボルトネジ軸の突出長さの大小を問わず確実にボルト、ナット組立体を覆うことができる。
【図面の簡単な説明】
【０００９】
【図１】本発明の防錆キャップの実施形態の一例を示す図である。
【図２】図１に示す実施形態の一変形例を示す図である。
【図３】図１の実施形態のボルト、ナット組立体への取付状態を示す断面側面図である。
【図４】図１の実施形態の、別のボルト、ナット組立体への取付状態を示す断面側面図である。
【図５】本発明の防錆キャップの実施形態の別の例を示す図である。
【図６】図５の実施形態のボルト、ナット組立体への取付状態を示す断面側面図である。
【発明を実施するための形態】
【００１０】
以下、添付図面を参照して本発明の実施形態について詳細に説明するが、本発明は、以下に示された各実施形態に限定されない。図１は、本発明の防錆キャップの実施形態の一例を示しており、（ａ）は側面図（１点鎖線より下側は断面図）、（ｂ）はナット収容部の挿入口端面を示す図である。この図に示すように、本実施形態の防錆キャップ１は、ボルト収容部１０、ナット収容部１１及び伸縮連結部１２の３つの部分から構成されており、これらが内部に備える内部空間１３、１５内にボルト、ナット組立体が収容可能とされている。
【００１１】
ボルト収容部１０は、略半球状の先端閉塞部を備える円筒状をなし、その内部空間１３にてボルト、ナット組立体の締付ナットから突出するボルトネジ軸の先端部分を包み込むための部分である。前記先端閉塞部は前記した略半球状の外形形状に限定されず、公知の種々の形状を採りうる。ボルト収容部１０の基端側の内周面にはネジ部１４が刻設され、ボルト、ナット組立体におけるボルトネジ軸と螺合可能とされている。ネジ部１４を構成する山の数については、ボルト収容部１０の肉厚などの寸法とともに適宜設定できる。
【００１２】
ボルト収容部１０は、各種の樹脂やゴムなどの素材で形成することができる。これらの素材は、軟質又は硬質のいずれも使用できるが、好ましくは硬質なものを用いるのが好ましい。また、本発明の防錆キャップは、屋外に設置される機器のボルト、ナット組立体に主に用いるので、優れた退候性を有していることがより好ましい。
【００１３】
ナット収容部１１は、一端面にボルト、ナット組立体を収容するための挿入口１１ａを備えている。その内部空間１５の開口方向に直交する断面の形状は、締付ナットの横断面が正六角形に規格化されているので、図１（ｂ）に示すように、当該締付ナットの断面形状と略同形で、それよりも僅かに小さいサイズに設定されている。これにより、ナット収容部１１は、締付ナットに嵌めこんでこれを収容可能となる。なお、ナット収容部１１の基端側の端縁から外方に向けて放射状に鍔を設けることもできる。
【００１４】
ナット収容部１１もまた、ボルト収容部１０と同様の素材で形成でき、硬質であることが好ましく、さらに優れた退候性を備えていることがより好ましい。
【００１５】
伸縮連結部１２は、ボルト収容部１０の基端側の端縁とナット収容部１１の先端側のそれとを連結しており、これら２つの収容部の端縁の間で伸縮して、２つの収容部１０，１１の間の距離を自在に変えることができる。図１では、この伸縮連結部１２として蛇腹状の形態を図示するが、このような形態により伸縮自在とされているもののほか、伸縮連結部１２の素材自在が弾性的に伸縮自在とされるものや形態と素材との双方で伸縮自在とされるもののいずれであってもよい。さらに、伸縮連結部１２は、円周方向のねじれに耐え得るものであるのが好ましい。
【００１６】
伸縮連結部１２は、これを形態により伸縮自在とする場合には、その素材は特に伸縮性は必要とされないが、軟質で優れた耐候性を備えているのが好ましい。この場合、素材は弾性を備えていてもよい。また、伸縮連結部１２を素材で伸縮自在とする場合には、素材は軟質で弾性を備え優れた耐候性を備えていることが好ましい。伸縮連結部１２は、さらに前記各性質以外の性質を備えたものであってもよい。
【００１７】
図２及び図３は、図１に示す実施形態のボルト、ナット組立体への装着状態を示している。これら各図で相違するのは、ボルト、ナット組立体における締付ナットから突出するボルトネジ軸の突出長さの長短である。図２のようなボルトネジ軸２２の突出長さが短いボルト、ナット組立体の場合、まず、本実施形態の防錆キャップ１をその挿入口１１ａからボルト、ナット組立体２０に被せた上で、ボルト収容部１０を回転させて内部のネジ部１４をボルトネジ軸２２に螺合する。そうして、伸縮連結部１２を必要ならば伸縮させるとともにねじり、ナット収容部１１を締付ナット２１の外形形状に合わせて嵌め込んで収容する。
【００１８】
また、図３に示すように、ボルト、ナット組立体２０におけるボルトネジ軸２２の突出長さが長い場合、まず本実施形態の防錆キャップ１をその挿入口１１ａからボルト、ナット組立体２０に被せた上で、ボルト収容部１０を回転させて内部のネジ部１４をボルトネジ軸２２に螺合し、そうして伸縮連結部１２を伸縮させ、必要ならばねじり、ナット収容部１１を締付ナット２１の外形形状に合わせて嵌め込んでこれを収容する。こうして本実施形態の防錆キャップ１を装着後には、図２及び図３に示すように、防錆キャップ１は、ボルト、ナット組立体２０から容易に離脱することなく、該組立体２０の腐食を長期間にわたり確実に抑えることができる。また、ナット収容部１１をダブルナットから取り外し、ボルト収容部１０を螺合する際とは反対に回転させることで、本発明の防錆キャップを容易にボルト、ナット組立体から取り外すことができる。
【００１９】
図４は、図１に示す実施形態の変形例を示している。図４に示す例では、ナット収容部１１における基端面（挿入口）寄りの内周面に突条１６を周方向に配設している。突条１６の断面形状は、公知の形状のなかから適宜選択できる。また、突条１６は、このような形状のものに代えて、ナット収容部１１の略正六角形の内部空間１５のそれぞれの頂角より内側に張り出したような形状のものであってもよい。この突条１６の材質は、ナット収容部１１のそれと同質または異質のいずれであってもよい。前者の場合、ナット収容部１１と一体に成形してもよく、ナット収容部１１の内周面に形成した溝に嵌め込むようにしてもよい。また、後者の場合には、ナット収容部１１の内周面に嵌め込むことができる。
【００２０】
図５は、本発明の防錆キャップの実施形態の別の例を示しており、図６はそのボルト、ナット組立体への取付状態を示している。本実施形態は、特に２個の締付ナットが用いられているいわゆるダブルナットを有するボルト、ナット組立体に好適に使用できるものである。図１に示した実施形態と本実施形態との相違点は、ナット収容部１１がダブルナットを収容可能なように図１の例よりも約２倍長くなっており、ナット収容部１１の内部空間１５が略円柱状をなしている点であり、その他の構成については、図１の例と本質的に変わりはない。内部空間１５を略円柱状に形成するのは、２つの締付ナット２１，２１を締付た場合に、通常、それぞれの周面の頂角がずれた状態となることによるものである。
【００２１】
ナット収容部１１の内周面には、その長さ方向略中間のちょうど上下の締付ナットの底面と上面とが接触する位置に環状締め具１７が全周にわたり配置されている。この環状締め具１７がダブルナットのうちの基端側の締付ナット２１の上端部の面取り部分に嵌り込んで、本実施形態の防錆キャップ２がボルト、ナット組立体２０から容易に離脱することなく、当該組立体２０の腐食を確実に抑制することができる。また、ナット収容部１１をダブルナットから取り外し、ボルト収容部１０を螺合する際とは反対に回転させることで、本発明の防錆キャップを容易にボルト、ナット組立体から取り外すことができる。
【００２２】
以上説明したように、本発明の防錆キャップは、ボルト収容部、ナット収容部および伸縮連結部の３つの部分からなる簡単な構造であり、当該組立体から容易に離脱することなく、確実に発錆や進行を防止でき、その結果、著しい発錆による機器の取替などが不要になるとともに、低い位置の他の機器に錆の飛散拡大が抑制できる。また、本発明の防錆キャップは、伸縮連結部を備えることから、締付ナットからのボルトネジ軸の突出長さの大小を問わず確実にボルト、ナット組立体を覆うことができる。さらに、本発明の防錆キャップは、前記のような簡単な構造であり、ボルト、ナット組立体から容易に取り外すことができ、また再利用も可能である。
【符号の説明】
【００２３】
１，２  本発明の防錆キャップ
１０  ボルト収容部
１１  ナット収容部
１１ａ  挿入口
１２  伸縮連結部
１３、１５  内部空間
１６  突条
１７  環状締め具
２０  ボルト、ナット組立体
２１  締付ナット
２２  ボルトネジ軸
２３  座金
M  機器外面
【図１】
2012154377.tif 000003
【図２】
2012154377.tif 000004
【図３】
2012154377.tif 000005
【図４】
2012154377.tif 000006
【図５】
2012154377.tif 000007
【図６】
2012154377.tif 000008